(57)【要約】【課題】廃棄時に各パーツ毎に分解しやすい厨房機器用取付脚を提供する。【解決手段】ボルト軸２に設けられたフランジ部２３の軸方向のいずれか一方の側面を支持する第１フランジ固着部４３と、フランジ部２３の軸方向のいずれか他方の側面を支持する第２フランジ固着部４４とを設け、第１フランジ固着部４３の機械的強度を第２フランジ固着部４４よりも所定の脆弱手段を介して弱める。【選択図】図１
2010002130.tif 000002
【特許請求の範囲】
【請求項１】
一端が厨房機器の底部にねじ込まれるボルト軸と、上記ボルト軸の他端にねじ込まれる雌ねじ孔を有し、被設置面上に設置されるアジャスタボルトと、上記アジャスタボルトを含む上記ボルト軸の外周面の一部を覆い隠す合成樹脂製のカバーとを備え、上記アジャスターボルトを回して上記厨房機器と被設置面との間の相対的な高さ位置を調節する厨房機器用取付脚において、
上記ボルト軸には、上記カバーを固定するためのフランジ部が設けられており、上記カバーは、上記フランジ部に一体成型される固着部を有し、上記固着部は、上記フランジ部の軸方向のいずれか一方の側面に固着される第１フランジ固着部と、上記フランジ部の軸方向のいずれか他方の側面に固着される第２フランジ固着部とを含み、上記第１フランジ固着部は、上記第２フランジ固着部よりも所定の脆弱手段により上記フランジ部に対する固着強度が弱められていることを特徴とする厨房機器用取付脚。
【請求項２】
上記第１フランジ固着部は、上記被設置面に対向する上記フランジ部の下面を支持し、上記第２フランジ固着部は、上記厨房機器に対向する上記フランジ部の上面を支持することを特徴とする請求項１に記載の厨房機器用取付脚。
【請求項３】
上記脆弱手段として、上記第１フランジ固着部の肉厚が、上記第２フランジ固着部の肉厚よりも薄くなるように形成されていることを特徴とする請求項１または２に記載の厨房機器用取付脚。
【請求項４】
上記第１フランジ固着部の肉厚をｔ１、上記第２フランジ固着部の肉厚をｔ２としたとき、上記第１フランジ固着部は、肉厚ｔ１≦１／２×ｔ２であることを特徴とする請求項３に記載の厨房機器用取付脚。
【請求項５】
上記脆弱手段として、上記第１フランジ固着部の一部に切欠部が設けられていることを特徴とする請求項１または２に記載の厨房機器用取付脚。
【請求項６】
上記フランジ部の半径方向の端面は、厚さ方向の中心を頂部として軸方向の両端面に向かって半径方向の長さが漸次短くなるように形成されており、上記第１フランジ固着部は、上記頂部と上記フランジ部のいずれか一方の側面との間に設けられており、上記フランジ部のいずれか一方の側面は、その地肌が露出していることを特徴とする請求項１または２に記載の厨房機器用取付脚。
【請求項７】
上記フランジ部の半径方向の端面は、円弧状に形成されていることを特徴とする請求項６に記載の厨房機器用取付脚。
【発明の詳細な説明】
【技術分野】
【０００１】
本発明は、業務用冷蔵庫などの厨房機器に取り付けられる厨房機器用取付脚に関し、さらに詳しく言えば、廃棄時にパーツ毎に分解しやすい厨房機器用取付脚に関する。
【背景技術】
【０００２】
業務用大型冷蔵庫やコールドテーブルなどの厨房機器には、水平を保つための高さ調節機構を備えた専用の脚が取り付けられる。例えば特許文献１に示すように、この厨房機器用取付脚は、厨房機器の底部にねじ込まれるボルト軸を有し、ボルト軸の他端にねじ込まるアジャストナットを回転させることによって、厨房機器と被設置面との間の相対的な位置（高さ）を調節するようになっている。
【０００３】
ところで、従来より厨房機器用取付脚には、ボルト軸やアジャストナットの汚損防止や、ボルト軸のねじ山を傷めないようにするための保護カバーがボルト軸の外周面を覆い隠すように設けられている。
【０００４】
この保護カバーは、合成樹脂製で厨房機器の底面を受け止める水平面からボルト軸の上端部が突出するように設けられており、ボルト軸の上端を厨房機器にねじ込むことによって、アジャストナットを含むボルト軸の外周を覆い隠すことができる。
【０００５】
【特許文献１】特開２００４−６８９０３号公報
【発明の開示】
【発明が解決しようとする課題】
【０００６】
しかしながら、この種の厨房機器用取付脚は、廃棄時に次のような問題があった。すなわち、厨房機器の廃棄に伴い使用済みとなった厨房機器用取付脚は、厨房機器から取り外され、各パーツ毎に分解されて廃棄される。
【０００７】
しかしながら、従来の保護カバーはボルト軸に設けられたフランジ部にインサート成形によって一体的に形成されているため、保護カバーをボルト軸から取り外すには特殊なカッターなどを用いてボルト軸ごと分割するなど、非常に手間がかかり面倒であった。
【課題を解決するための手段】
【０００８】
そこで、本発明は上述した課題を解決するためになされたものであって、その目的は、廃棄時に各パーツ毎に分解しやすい厨房機器用取付脚を提供することにある。
【０００９】
本発明は、上述した目的を達成するため、以下に示すいくつかの特徴を備えている。請求項１に記載の発明は、一端が厨房機器の底部にねじ込まれるボルト軸と、上記ボルト軸の他端にねじ込まれる雌ねじ孔を有し、被設置面上に設置されるアジャスタボルトと、上記アジャスタボルトを含む上記ボルト軸の外周面の一部を覆い隠す合成樹脂製のカバーとを備え、上記アジャスターボルトを回して上記厨房機器と被設置面との間の相対的な高さ位置を調節する厨房機器用取付脚において、上記ボルト軸には、上記カバーを固定するためのフランジ部が設けられており、上記カバーは、上記フランジ部に一体成型される固着部を有し、上記固着部は、上記フランジ部の軸方向のいずれか一方の側面に固着される第１フランジ固着部と、上記フランジ部の軸方向のいずれか他方の側面に固着される第２フランジ固着部とを含み、上記第１フランジ固着部は、上記第２フランジ固着部よりも所定の脆弱手段により上記フランジ部に対する固着強度が弱められていることを特徴としている。
【００１０】
請求項２に記載の発明は、上記請求項１において、上記第１フランジ固着部は、上記被設置面に対向する上記フランジ部の下面を支持し、上記第２フランジ固着部は、上記厨房機器に対向する上記フランジ部の上面を支持することを特徴としている。
【００１１】
請求項３に記載の発明は、上記請求項１または２において、上記脆弱手段として、上記第１フランジ固着部の肉厚が、上記第２フランジ固着部の肉厚よりも薄くなるように形成されていることを特徴としている。
【００１２】
請求項４に記載の発明は、上記請求項３において、上記第１フランジ固着部の肉厚をｔ１、上記第２フランジ固着部の肉厚をｔ２としたとき、上記第１フランジ固着部は、肉厚ｔ１≦１／２×ｔ２であることを特徴としている。
【００１３】
請求項５に記載の発明は、上記請求項１または２において、上記脆弱手段として、上記第１フランジ固着部の一部に切欠部が設けられていることを特徴としている。
【００１４】
請求項６に記載の発明は、上記請求項１または２において、上記フランジ部の半径方向の端面は、厚さ方向の中心を頂部として軸方向の両端面に向かって半径方向の長さが漸次短くなるように形成されており、上記第１フランジ固着部は、上記頂部と上記フランジ部のいずれか一方の側面との間に設けられており、上記フランジ部のいずれか一方の側面は、その地肌が露出していることを特徴としている。
【００１５】
請求項７に記載の発明は、上記請求項６において、上記フランジ部の半径方向の端面は、円弧状に形成されていることを特徴としている。
【発明の効果】
【００１６】
請求項１に記載の発明によれば、ボルト軸のフランジ部に固着されるいずれか一方のフランジ固着部のフランジ部に対する固着強度をいずれか他方のフランジ固着部よりも弱めたことにより、カバーを固定した状態でボルト軸をハンマーなどで叩くことにより、ボルト軸からカバーを簡単に分離することができる。
【００１７】
請求項２に記載の発明によれば、第１フランジ固着部がフランジ部の下面（被設置面側）を支持し、第２フランジ固着部がフランジ部の上面（厨房機器側）を支持することにより、使用時においては、ボルト軸からカバーが抜け落ちることを確実に防止できる。
【００１８】
請求項３に記載の発明によれば、脆弱手段として、第１フランジ固着部の肉厚が第２フランジ固着部の肉厚よりも薄くなるように形成されていることにより、第２フランジ固着部側からボルト軸を叩くことによって、薄い第１フランジ固着部が破壊されて、ボルト軸を抜き取ることが出来る。
【００１９】
請求項４に記載の発明によれば、第１フランジ固着部の肉厚をｔ１、第２フランジ固着部の肉厚をｔ２としたとき、第１フランジ固着部を肉厚ｔ１≦１／２×ｔ２に設計することにより、使用時においてはカバーの強度が確保され、廃棄時には、ボルト軸の抜き取り作業を適度な力で行うことができる。
【００２０】
請求項５に記載の発明によれば、別の脆弱手段として、第１フランジ固着部の一部に切欠部が設けられていてもよく、これによっても第１フランジ固着部の機械的強度を弱めて、ボルト軸の抜き取り作業ができる。
【００２１】
上記フランジ部の半径方向の端面は、厚さ方向の中心を頂部として軸方向の両端面に向かって半径方向の長さが漸次短くなるように形成されており、第１フランジ固着部は、頂部と上記フランジ部のいずれか一方の側面との間に設けられており、フランジ部のいずれか一方の側面は、その地肌が露出していることにより、頂部からフランジ部の軸方向の側面に至るまでの空間で保持することができ、合成樹脂の使用量を減らすことができる。
【００２２】
請求項７に記載の発明によれば、フランジ部の端面が円弧状に形成されていることにより、ボルト軸の打抜時に係る力を効果的にカバーとフランジ部の界面に加えることができるばかりでなく、フランジからの抜けもスムーズに行うことができる。
【発明を実施するための最良の形態】
【００２３】
次に、本発明の具体的な実施形態について図面を参照しながら説明するが、本発明はこの限りではない。図１（ａ）および（ｂ）は、本発明の一実施形態に係る厨房機器用取付脚の部分正面断面図および平面図であり、図２（ａ），（ｂ）は、ボルト軸のフランジ部を拡大した正面図および平面図である。
【００２４】
図３（ａ）〜（ｄ）は、カバー部のフランジ固着部の実施例および変形例を表す要部拡大断面図であり、図４は、第１フランジ固着部の変形例を表す底面図であり、図５は、ボルト軸とカバーの取り外し方法を説明する説明図である。
【００２５】
図１に示すように、この厨房機器用取付脚１は、上端が図示しない厨房機器に設けられたネジ孔にねじ込まれるボルト軸２と、同ボルト軸２の下端にねじ込まれ、図示しない被接地面上に設置されるアジャストナット３と、アジャストナット３を含むボルト軸２の外周面を覆い隠すようにボルト軸２に同軸的に取り付けられるカバー４とを備えている。
【００２６】
ボルト軸２は、１本の金属製ボルトであり、上端側には厨房機器側のネジ孔にねじ込まれる上部雄ネジ２１が形成されている。ボルト軸２の下端側には、アジャストナット３がねじ込まれる下部雄ネジ２２が形成されている。上部雄ネジ２１および下部雄ネジ２２のネジ径やピッチは、仕様や規格に応じて任意に変更される。
【００２７】
上部雄ネジ２１と下部雄ネジ２２の間には、フランジ部２３が一体的に設けられている。図２（ａ）および（ｂ）に示すように、フランジ部２３は、ボルト軸２の軸線を中心に同軸的な円盤状を呈し、その一部にボルト軸２の回転止めとしての切欠面２３１，２３１が設けられている。
【００２８】
この例において、切欠面２３１，２３１は軸線を挟んで対称位置に設けられた一対の平坦面からなるが、カバー４の回転止めとして機能すればその形状や設置数は任意であってよい。
【００２９】
フランジ部２３の半径方向の端面（外周面）は、厚さ方向の中心Ｌを頂部として、頂部から軸方向の両側面に向かって徐々に半径長さが短くなるように形成されていることが好ましい。この例では円弧状に形成されている。
【００３０】
アジャストナット３は、例えばナイロンなどの合成樹脂の成形品からなり、ボルト軸２の下部雄ネジ２２にねじ込まれるネジ孔３２を有するナット本体３１と、ナット本体３１の下端側を覆うように取り付けられ、被設置面に接触する脚ベース３３とを備えている。
【００３１】
脚ベース３３は、例えばステンレス合金板をプレス形成したものからなり、ナット本体３１の下端に沿って差し込み可能な断面コ字状の有底な筒状に形成されている。脚ベース３３の外周面は、アジャストナット３を回転させる際にスパナなどが差し込まれるように多角形状に形成されていることが好ましく、この例では六角形状に形成されている。
【００３２】
アジャストナット３は、アジャストナット３を回転させることにより、ボルト軸２が上下動して、厨房機器と被設置面との間の相対的な長さ（高さ）を調節することができる基本形態を備えていればよい。
【００３３】
カバー４は、ナイロンなどの硬質な合成樹脂の成形品からなり、インサート成形によってボルト軸２に同軸的に取り付けられている。カバー４は、上端が厨房機器の取付面に対向する水平な支持面４１を有し、支持面４１の中央から上部雄ネジ２１が突出している。
【００３４】
カバー４は、内部がアジャストナット３の外周面よりも大きな内径を有する円筒状を呈し、外周面が上端から下端に向かうにつれてその外径が徐々に小さくなるように形成されている。
【００３５】
カバー４の外周面は、厨房機器用取付脚１を厨房機器に取り付ける際に、全体を手で掴みやすくするため、多角形状に形成されており、その上端側には、レンチやスパナなどの工具が差し込まれるナット面４２が形成されている。この例において、ナット面４２は、図１（ｂ）に示すように、八角形状である。
【００３６】
図３（ａ）に示すように、カバー４はフランジ部２３を一方の側面２３ａ（図３（ａ）では下面）を支持する第１フランジ固着部４３と、フランジ部２３の他方の側面２３ｂ（図３（ａ）では上面）を支持する第２フランジ固着部４４とによって挟まれるようにして固定されている。
【００３７】
本発明において、フランジ部２３の側面２３ａ，２３ｂとは、フランジ部２３の厚さ方向の中心線Ｌを境界線として、中心線Ｌからフランジ部２３の軸方向の各側面２３ａ，２３ｂに至るまでの部位をいう。
【００３８】
すなわち、図３（ａ）において、第１フランジ固着部４３は、フランジ部２３端面の凸曲面の半径をＲとしたとき、頂部２３１から半径方向に０．３×Ｒとなる位置で止められている。これによれば、カバー４を最小限の保持力でボルト軸２に固定することができる。
【００３９】
より強固に固定したい場合には、図３（ｂ）に示すように、フランジ部２３の下端面２３ａに沿って第１フランジ固着部４３を延設してもよい。このような態様も本発明に含まれる。
【００４０】
また、図３（ｃ）および（ｄ）に示すように、第１フランジ固着部４３をフランジ部２３の下端面２３ａに沿ってボルト軸２の中心側に設けて、第１フランジ固着部４３と第２フランジ固着部４４とでフランジ部２３を狭持するようにしてもよい。
【００４１】
その場合は、第２フランジ固着部４４よりも第１フランジ固着部４３の厚さを薄くすることが好ましく、さらに好ましくは、第１フランジ固着部４３の肉厚をｔ１、第２フランジ固着部４４の肉厚をｔ２としたとき、第１フランジ固着部の肉厚をｔ１≦１／２×ｔ２とすることが好ましい。
【００４２】
第１フランジ固着部４３の別の実施形態としては、第１フランジ固着部４３の一部に切欠部４５を設けて、機械的強度を弱めるようにしてもよい。すなわち、図４に示すように、第１フランジ固着部４３の内径側の端面から半径方向の外側に向かって、複数の切欠部４５を円周方向に沿って所定の角度間隔で配置してもよい。このような態様も本発明に含まれる。
【実施例】
【００４３】
次に、本発明の具体的な実施例について比較例とともに比較検討する。まず、厨房機器用取付脚を作製する。同一形状の金属製のボルト軸を用意し、各ボルト軸に各実施例および比較例のカバーをインサート成形によって一体的に成形する。
【００４４】
〔ボルト抜け試験〕
図５に示すように、作製された各厨房機器用取付脚１のボルト軸２とカバー４の打抜に係る押圧力を測定する。まず、カバー４の下端の一部を切断する。次に、下部雄ネジ２２を専用の打ち抜き用治具５の打抜孔５１に差し込んだのち、上部雄ネジ２１の上端から所定の押圧力を加えて、ボルト軸２が抜ける押圧力を合計３回測定し、その平均値を算出する。
【００４５】
〔破壊トルク試験〕
各サンプルの厨房機器用取付脚１の上部雄ネジ２１を所定の固定治具に固定し、仮想取付状態とする。次に、カバー４のナット面４２にスパナをかけ、スパナの他端にバネ秤を取り付けて、スパナを回転させてゆき、ボルト軸とカバーとの回転方向の破壊トルクを合計３回測定し、その平均値を算出する。
【００４６】
〔総合評価〕
上記ボルト抜け試験および破壊トルク試験の結果および使用感を踏まえて、実施例１〜４および比較例の総合評価を行う。分解性も良好で、通常使用にも支障がないものを◎、分解性に若干難があるものを○、分解しにくいものを△、分解が困難であるものを×とした。
以下に、実施例および比較例の厨房機器用取付脚の仕様と測定結果を示す。
【００４７】
《実施例１》
〔第１フランジ固着部肉厚〕Ｒ部
〔ボルト抜け試験（ｋｇｆ）〕１回目：８０，２回目：１００，３回目：１００，平均：９３
〔破壊トルク試験（Ｎ・ｍ）〕１回目：８，２回目：７．５，３回目：８，平均：８
〔総合評価〕◎
【００４８】
《実施例２》
〔第１フランジ固着部肉厚〕０．５ｍｍ
〔ボルト抜け試験（ｋｇｆ）〕１回目：１００，２回目：１００，３回目：１００，平均：１００
〔破壊トルク試験（Ｎ・ｍ）〕１回目：１３．５，２回目：１６，３回目：１３．５，平均：１４
〔総合評価〕◎
【００４９】
《実施例３》
〔第１フランジ固着部肉厚〕１．０ｍｍ
〔ボルト抜け試験（ｋｇｆ）〕１回目：２８０，２回目：２５０，３回目：２３５，平均：２５５
〔破壊トルク試験（Ｎ・ｍ）〕１回目：１８．５，２回目：１５，３回目：１４，平均：１６
〔総合評価〕○
【００５０】
《実施例４》
〔第１フランジ固着部肉厚〕１．５ｍｍ
〔ボルト抜け試験（ｋｇｆ）〕１回目：３２５，２回目：３２５，３回目：２９０，平均：３１３
〔破壊トルク試験（Ｎ・ｍ）〕１回目：２１．５，２回目：２０，３回目：２０，平均：２１
〔総合評価〕△
【００５１】
〈比較例１〉
〔第１フランジ固着部肉厚〕３．０ｍｍ
〔ボルト抜け試験（ｋｇｆ）〕１回目：４６０，２回目：４６０，３回目：４８０，平均：４６７
〔破壊トルク試験（Ｎ・ｍ）〕１回目：２５，２回目：２６，３回目：２３，平均：２５
〔総合評価〕×
【００５２】
以上、実施例１〜４および比較例のまとめを表１に示す。
【００５３】
【表１】
2010002130.tif 000003
【００５４】
これによれば、以下の知見を得た。
（１）実施例１、２は、第１フランジ固着部の肉厚が非常に薄いため、ボルト抜き作業が容易に行える。
（２）実施例３は、第１フランジ固着部の肉厚が適度に厚く、ボルト抜き作業は実施例１，２よりも強い力を必要とするが、困難ではない。
（３）実施例４は、第２フランジ固着部の約半分の肉厚であるため、ボルト抜き作業が若干困難である。
以上により、第１フランジ固着部の肉厚は、ｔ１≦１／２×ｔ２であることが好ましい。
【００５５】
本発明において、厨房機器用取付脚１は、厨房機器として用いられるものであれば、種々のものに適用可能である。すなわち、冷蔵庫やコールドテーブル、食洗機だけでなく、浄水器やショーケースなどにも厨房環境で用いられるものであれば、各種に適用可能である。
【図面の簡単な説明】
【００５６】
【図１】本発明の一実施形態に係る厨房機器用取付脚の（ａ）部分断面図および（ｂ）平面図。
【図２】上記厨房機器用取付脚のボルト軸の（ａ）部分拡大正面図および（ｂ）部分拡大平面図。
【図３】（ａ）〜（ｄ）ボルト軸とカバーの固定状態を示す要部断面図。
【図４】第１フランジ固着部の変形例を示す厨房機器用取付脚の底面図。
【図５】ボルト抜け試験の試験方法を説明する説明図。
【符号の説明】
【００５７】
１  厨房機器用取付脚
２  ボルト軸
２１  上部雄ネジ
２２  下部雄ネジ
２３  フランジ部
３  アジャストナット
４  カバー
４１  支持面
４２  ナット面
４３  第１フランジ固着部
４４  第２フランジ固着部
【図１】
2010002130.tif 000004
【図２】
2010002130.tif 000005
【図３】
2010002130.tif 000006
【図４】
2010002130.tif 000007
【図５】
2010002130.tif 000008